(57)【要約】【課題】記録媒体に蓄積された画像ファイルを簡単に編集することができる画像処理装置を提供する。【解決手段】本発明に係る画像処理装置は、記録媒体に記録されている複数の画像情報の中から選択された複数の画像情報を所定順序で再生する再生手段と、再生手段にて再生される画像情報に対応する再生画像を所定順序に対応する配列で表示する画像表示手段と、画像表示手段にて表示されている複数の再生画像に追加する追加再生画像を、記録媒体に記録されている画像情報から任意に選択する追加画像選択手段と、画像表示手段に表示される複数の再生画像の中の隣接する任意の２つの再生画像の間に変移可能にポインタを配置して、ポインタの位置にて追加再生画像の追加位置を指定する指定手段を備えることを特徴とする。【選択図】図２４
2011040089.tif 000002
【特許請求の範囲】
【請求項１】
記録媒体に記録されている複数の画像情報の中から選択された複数の画像情報を所定順序で再生する再生手段と、
前記再生手段にて再生される前記画像情報に対応する再生画像を前記所定順序に対応する配列で表示する画像表示手段と、
該画像表示手段にて表示されている複数の再生画像に追加する追加再生画像を、前記記録媒体に記録されている画像情報から任意に選択する追加画像選択手段と、
前記画像表示手段に表示される複数の再生画像の中の隣接する任意の２つの再生画像の間に変移可能にポインタを配置して、該ポインタの位置にて前記追加再生画像の追加位置を指定する指定手段を備える画像処理装置。
【請求項２】
記録媒体に記録されている複数の画像情報の中から選択された複数の画像情報を所定順序で再生する再生手段と、
前記再生手段にて再生される前記画像情報に対応する再生画像を前記所定順序に対応する配列で表示する画像表示手段と、
前記画像表示手段にて表示されている複数の再生画像の中で表示位置の変更の対象となる変位対象再生画像を選択する画像選択手段と、
前記画像表示手段にて表示される複数の再生画像の中の隣接する任意の２つの再生画像の間に変位可能なポインタを配置して、該ポインタの位置にて前記変位対象画像の移動先を指定する指定手段を備える画像処理装置。
【請求項３】
前記画像処理装置は、画像情報を入力する入力手段と、該入力手段から入力される画像情報を前記記録媒体に記録する記録手段をさらに備えることを特徴とする、請求項１または２記載の画像処理装置。
【請求項４】
前記記録媒体は着脱可能な外部記録媒体であることを特徴とする、請求項１ないし３記載の画像処理装置。
【請求項５】
請求項４記載の前記外部記録媒体と前記画像処理装置を接続し、前記画像情報を転送するためのインタフェースをさらに備える、画像処理システム。
【発明の詳細な説明】
【技術分野】
【０００１】
本発明は、撮像された画像を編集する編集機能を備える画像処理装置に関するものである。
【背景技術】
【０００２】
従来、複数の画像データをモニター上に並べて表示させ、並び替えを行う画像プリント処理装置が特許文献１に開示されている。
【特許文献１】特開２００６−２４６１２０号公報  [H04N 1/387]
【発明の開示】
【発明が解決しようとする課題】
【０００３】
従来技術１において、モニター上に並べて表示された複数の画像の並び替え処理は、移動したい画像を２つ指定し入れ替えるための機能ボタン（「入れ替え」ボタン）をマウスでクリックすることによって実現する。
【０００４】
例えば、５つの画像、Ａ、Ｂ、Ｃ、Ｄ、Ｅがモニター上に左から右へ順番に並んでいたとする。ここで、従来技術１を利用して、Ａの画像をＣとＤの間に移動させ、Ｂ、Ｃ、Ａ、Ｄ、Ｅと並び替える場合は、まずＡとＣの画像を指定して「入れ替え」ボタンをクリックし、ＡとＣの画像を入れ替える。すると左から、Ｃ、Ｂ、Ａ、Ｄ、Ｅという順番で画像が表示される。次に、ＣとＢの画像を指定して「入れ替え」ボタンをクリックし、ＣとＢの画像を入れ替える。すると、左からＢ、Ｃ、Ａ、Ｄ、Ｅという順番で画像が表示される。したがって、画像の並び替えをするためには、何回も入れ替える画像を指定して「入れ替え」ボタンをクリックしなければならず、ユーザにとって、そのような操作は非常に煩わしいものであった。また、モニター上に並べて表示された複数の画像に、新しい画像を追加することに関して、従来技術１は何ら開示していない。
【０００５】
本発明は、上記の問題点を解決するもので、ユーザにとって分かりやすく、また簡単な操作でメモリに記録された複数の画像の編集を行うことが出来る画像処理装置を提供するものである。
【課題を解決するための手段】
【０００６】
請求項１の画像処理装置は、記録媒体に記録されている複数の画像情報の中から選択された複数の画像情報を所定順序で再生する再生手段と、再生手段にて再生される画像情報に対応する再生画像を所定順序に対応する配列で表示する画像表示手段と、画像表示手段にて表示されている複数の再生画像に追加する追加再生画像を、記録媒体に記録された画像情報から任意に選択する追加画像選択手段と、画像表示手段に表示される複数の再生画像の中の隣接する任意の２つの再生画像の間に変移可能にポインタを配置して、ポインタの位置にて追加再生画像の追加位置を指定する指定手段を備えることを特徴とする。
【０００７】
これによると、記録媒体に記録されている複数の画像情報に対応する複数の再生画像が、再生される際の順序に対応する配列で表示され、その複数の再生画像に新たな再生画像を追加するときに、追加する位置として、隣接する任意の２つの再生画像の間に変位可能にポインタが配置される。したがって、ユーザは視覚的に、ポインタが示す位置に再生画像が追加されることを認識できるため、使用性が良好なものとなる。
【０００８】
請求項２の画像処理装置は、記録媒体に記録されている複数の画像情報の中から選択された複数の画像情報を所定順序で再生する再生手段と、再生手段にて再生される画像情報に対応する再生画像を所定順序に対応する配列で表示する画像表示手段と、画像表示手段にて表示されている複数の再生画像の中で表示位置の変更の対象となる変位対象再生画像を選択する画像選択手段と、画像表示手段にて表示される複数の再生画像の中の隣接する任意の２つの再生画像の間に変位可能なポインタを配置して、ポインタの位置にて変位対象画像の移動先を指定する指定手段を備えることを特徴とする。
【０００９】
これによると、記録媒体に記録されている複数の画像情報に対応する複数の再生画像が、再生される際の順序に対応する配列で表示され、配列された再生画像の位置を変更するときに、変更する位置として、隣接する任意の２つの再生画像の間に変位可能にポインタが配置される。したがって、ユーザは視覚的に、ポインタが示す位置に再生画像が移動されることを認識できるため、 使用性が良好なものとなる。
【００１０】
請求項１または２に従う請求項３の画像処理装置は、画像情報を入力する入力手段と、該入力手段から入力される画像情報を前記記録媒体に記録する記録手段をさらに備えることを特徴とする。
【００１１】
これによると、画像処理装置自身が画像情報を入力し、かつ記録媒体に画像情報を記録することができるため、外部からの画像情報を入力する外部画像入力装置が必要なくなり、コンパクトな形態となる。
【００１２】
請求項１ないし３に従う請求項４の画像処理装置は、記録媒体が着脱可能な外部記録媒体であることを特徴とする。
【００１３】
これによると、ユーザの使用時に複数の外部記録媒体から択一的に選択された外部記録媒体を使用できるため、ユーザが所望する画像情報が記録された外部記録媒体の画像情報を使用して上述した追加または移動処理を行うことが出来る。
【００１４】
請求項５の画像処理システムは、請求項４記載の前記外部記録媒体と前記画像処理装置を接続し、前記画像情報を転送するためのインタフェースをさらに備えることを特徴とする。
【発明の効果】
【００１５】
本発明に係る画像処理装置によれば、複数ある画像の並び替えを行う際に、または他の画像を追加させる際に、移動させたい画像を現在並んでいる複数の画像のどこに配置させるかを、ユーザにとって分かりやすく、また簡単な操作で行わせることができる。
【発明を実施するための最良の形態】
【００１６】
以下、本発明をデジタルカメラに実施した形態につき、図面に沿って具体的に説明する。
【００１７】
本発明に係るデジタルカメラは、図１に示す如くカメラ本体(１)を具え、該カメラ本体(１)には、操作部(30)と、操作部(30)からの操作信号に応じて各種の制御手続きを実行するＣＰＵ(31)と、ＣＰＵ(31)が実行すべき制御手続きが書き込まれているメモリ(32)とを具え、ＣＰＵ(31)及びメモリ(32)はバス(33)に接続されている。
【００１８】
カメラ本体(１)においては、光学系(６)からの映像光がＣＣＤ(８)にて電気信号に変換され、該電気信号はＡ／Ｄ変換された後、ＪＰＥＧ符号化回路(11)及びＭＰＥＧ−４ビデオ符号化回路(12)へ供給される。又、マイクロホン(７)からの音声信号はＡ／Ｄ変換された後、ＡＡＣオーディオ符号化回路(13)へ供給される。
【００１９】
ＪＰＥＧ符号化回路(11)の出力端はバス(33)に接続されており、ＣＰＵ(31)による制御の下で写真ファイルが作成される。ＭＰＥＧ−４ビデオ符号化回路(12)及びＡＡＣオーディオ符号化回路(13)の出力端はバス(33)に接続されており、ＣＰＵ(31)による制御の下で動画ファイルと音声ファイルが作成される。
【００２０】
前記写真ファイルはバス(33)を経てＪＰＥＧ復号化回路(20)へ供給される。又、前記動画ファイルはバス(33)を経てＭＰＥＧ−４ビデオ復号化回路(21)とＡＡＣオーディオ復号化回路(22)に供給されると共に、前記音声ファイルはＭＰＥＧ−４ビデオ符号化回路(12)に供給される。
【００２１】
ＪＰＥＧ復号化回路(20)及びＭＰＥＧ−４ビデオ復号化回路(21)の出力は、ビデオエンコーダ(23)にて映像データに変換された後、切換えスイッチＳＷ１及び出力アンプ(24)を経て映像出力端子(1b)に出力される一方、映像データは、切換えスイッチＳＷ１の切り換えによって、ＬＣＤドライバ(34)を経て液晶ディスプレイ(35)へ出力される。又、ＡＡＣオーディオ復号化回路(22)の出力は、Ｄ／Ａ変換回路(25)にて音声信号に変換された後、出力アンプ(26)及び切換えスイッチＳＷ２を経て音声出力端子(1c)に出力される一方、音声信号は、切換えスイッチＳＷ２の切り換えによって、出力アンプ(26)及びスピーカアンプ(36)を経てスピーカ(37)に出力される。
【００２２】
又、カメラ本体(１)には、ＳＤカード等の外部メモリカード(16)を着脱可能に装着することが可能なカードドライブ(15)が装備されており、該カードドライブ(15)とバス(33)との間にはメモリコントローラ(14)が介在している。
【００２３】
更に、カメラ本体(１)には、ＵＳＢ端子(1a)が設けられており、該ＵＳＢ端子(1a)にはＵＳＢインターフェース(17)が接続され、該ＵＳＢインターフェース(17)とバス(33)との間には、ＵＳＢデバイスコントローラ(18)とＵＳＢホストコントローラ(19)とが互いに並列に介在している。
【００２４】
カメラ本体(１)のＵＳＢ端子(1a)、映像出力端子(1b)及び音声出力端子(1c)には、クレードル(２)を接続することが可能である。該クレードル(２)には、ＵＳＢ端子(1a)に対して並列に接続されるべきＵＳＢデバイスコネクタ(27)及びＵＳＢホストコネクタ(28)が設けられると共に、映像出力端子(1b)及び音声出力端子(1c)に接続されるべきＡＶコネクタ(29)が設けられている。
【００２５】
クレードル(２)のＵＳＢホストコネクタ(28)には外部ハードディスク装置(３)を接続することが可能であり、ＡＶコネクタ(29)にはモニタテレビジョン受像機(４)及びスピーカー(５)を接続することが可能である。
【００２６】
又、カメラ本体(１)には受光部(38)が設けられており、リモートコントロール器(39)からの赤外線信号を受信し、該信号をＣＰＵ(31)へ供給することによって、遠隔操作を行なうことも可能である。
【００２７】
１．外部メモリカード(16)の記録／再生
図１に示す本発明のデジタルカメラにおいては、撮影によって得られる写真ファイル、動画ファイル及び音声ファイルをカメラ本体(１)のメモリコントローラ(14)の制御によって外部メモリカード(16)に書き込むことが出来る。
【００２８】
その後、メモリコントローラ(14)の制御によって、外部メモリカード(16)に書き込まれている写真ファイルを読み出し、該写真ファイルをＪＰＥＧ復号化回路(20)へ供給することによって、出力アンプ(24)から映像データを得て、該映像データをクレードル(２)からモニタテレビジョン受像機(４)に供給して、静止画を再生することが出来る。
【００２９】
又、メモリコントローラ(14)の制御によって、外部メモリカード(16)に書き込まれている動画ファイルを読み出し、該動画ファイルをＭＰＥＧ−４ビデオ復号化回路(21)及びＡＡＣオーディオ復号化回路(22)へ供給することによって、出力アンプ(24)(26)から映像データと音声信号を得て、該映像データと音声信号をクレードル(２)からモニタテレビジョン受像機(４)及びスピーカー(５)に供給して、動画を再生することが出来る。
【００３０】
更に、メモリコントローラ(14)の制御によって、外部メモリカード(16)に書き込まれている音声ファイルを読み出し、該音声ファイルをＡＡＣオーディオ復号化回路(22)へ供給することによって、Ｄ／Ａ変換回路(25)から音声信号を得て、該音声信号をクレードル(
２)からスピーカー(５)に供給して、音声を再生することが出来る。
【００３１】
２．外部ハードディスク装置(３)への記録
カメラ本体(１)のＪＰＥＧ符号化回路(11)から得られる写真ファイルを、ＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)に静止画を記録することが出来る。
【００３２】
又、カメラ本体(１)のＭＰＥＧ−４ビデオ符号化回路(12)及びＡＡＣオーディオ符号化回路(13)から得られる動画ファイルを、ＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)に動画を記録することが出来る。
【００３３】
更に、カメラ本体(１)のＡＡＣオーディオ符号化回路(13)から得られる音声ファイルを、ＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)に音声を記録することが出来る。
【００３４】
３．外部メモリカード(16)から外部ハードディスク装置(３)へのデータ転送
カメラ本体(１)のメモリコントローラ(14)の制御によって外部メモリカード(16)からファイルを読み出し、該ファイルをＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)にファイルを記録することが出来る。
【００３５】
４．外部ハードディスク装置(３)から外部メモリカード(16)への書き戻し
カメラ本体(１)のＵＳＢホストコントローラ(19)の制御によって、外部ハードディスク装置(３)に記録されている特定のファイルを、クレードル(２)を経てカメラ本体(１)のＵＳＢインターフェース(17)へ読み込み、ＵＳＢインターフェース(17)から得られるファイルを、メモリコントローラ(14)の制御によって外部メモリカード(16)に書き戻すことが出来る。
【００３６】
５．外部ハードディスク装置(３)からの再生
カメラ本体(１)のＵＳＢインターフェース(17)の制御によって、外部ハードディスク装置(３)に記録されている特定の写真ファイルを、クレードル(２)を経てカメラ本体(１)のＵＳＢインターフェース(17)へ読み込み、ＵＳＢインターフェース(17)から得られるファイルを、ＪＰＥＧ復号化回路(20)に供給することによって、出力アンプ(24)から映像データを得て、該映像データをクレードル(２)からモニタテレビジョン受像機(４)に供給して、静止画を再生することが出来る。
【００３７】
又、カメラ本体(１)のＵＳＢインターフェース(17)の制御によって、外部ハードディスク装置(３)に記録されている特定の動画ファイルを、クレードル(２)を経てカメラ本体(
１)のＵＳＢインターフェース(17)へ読み込み、ＵＳＢインターフェース(17)から得られ
るファイルを、ＭＰＥＧ−４ビデオ復号化回路(21)及びＡＡＣオーディオ復号化回路(22)に供給することによって、出力アンプ(24)(26)から映像データ及び音声信号を得て、該映像データ及び音声信号をクレードル(２)からモニタテレビジョン受像機(４)及びスピーカー(５)に供給して、動画を再生することが出来る。
【００３８】
更に、カメラ本体(１)のＵＳＢインターフェース(17)の制御によって、外部ハードディスク装置(３)に記録されている特定の音声ファイルを、クレードル(２)を経てカメラ本体(１)のＵＳＢインターフェース(17)へ読み込み、ＵＳＢインターフェース(17)から得られるファイルを、ＡＡＣオーディオ復号化回路(22)に供給することによって、出力アンプ(26)から音声信号を得て、該音声信号をクレードル(２)からスピーカー(５)に供給して、音声を再生することが出来る。
【００３９】
図２６は、外部メモリカード(16)に書き込まれるファイルのディレクトリ構造を示しており、ＤＣＦ規格が採用されている。図２７は、外部ハードディスク装置(３)に記録されるファイルのディレクトリ構造を示している。
【００４０】
ＤＣＦディレクトリにおいては、図２６に示す如く、最上位のディレクトリにフォルダ“DCIM”が設けられ、その下位にフォルダ“100SANYO”〜“999SANYO”が設けられ、これらのフォルダには、静止画や動画のファイル(“SANY0001”〜“SANY9999”)が格納される。
【００４１】
一方、外部ハードディスク装置(３)についてのディレクトリ構造においては、図２７に示す如く、最下位に、前記外部メモリカード(16)についてのディレクトリ構造をそのまま採用したＤＣＦディレクトリが作成され、該ＤＣＦディレクトリの上位には、各ＤＣＦディレクトリを１単位としてロール番号が付与されたロール管理フォルダ“ROLL0001”、“ROLL0002”・・・が作成される。
【００４２】
外部ハードディスク装置(３)へのファイルの転送においては、ロール管理フォルダの上位に、転送の日付を含む日付管理フォルダが新規作成され、日付の同じ複数のロールは同じ日付管理フォルダに転送される。日付が変わると、新しい日付の日付管理フォルダが新規作成される。
【００４３】
更に、日付管理フォルダの上位には、メディア管理フォルダが作成され、該メディア管理フォルダと並列に、リソース管理フォルダ、アルバム管理フォルダ、及びインデックスファイルが作成される。
【００４４】
リソース管理フォルダには、壁紙画像ファイル、ＢＧＭサウンドファイル、切替効果マスクファイル等が作成される。アルバム管理フォルダには、再生ファイル順設定、静止画表示時間設定、切り替え効果設定、ＢＧＭ設定のためのアルバムファイルが作成される。
【００４５】
上述の外部メモリカード(16)及び外部ハードディスク装置(３)のディレクトリ構造によれば、外部メモリカード(16)と外部ハードディスク装置(３)の間の相互のデータ転送において、ＤＣＦディレクトリが維持されるので、ファイルのアクセス性が極めて良好である。
【００４６】
図２〜図２２は、外部メモリカード(16)としてＳＤカードを採用した場合の前記ＣＰＵ(31)による制御手続きを示している。
【００４７】
図２は基本的な流れを示しており、起動後、先ずステップＳ０にてバッテリ残量、ＳＤカードの残量等の初期チェックを行なった後、ステップＳ１にて、ＵＳＢケーブルの接続の有無を判定し、ＵＳＢケーブルが接続されていないカメラモードでは、ステップＳ２にて撮影モード／再生モードの判定を行ない、その結果によってモード設定を行なう。
【００４８】
一方、ＵＳＢケーブルが接続されたＵＳＢ接続モードでは、ステップＳ３にてケーブルの種別を判定し、外部ハードディスク装置が繋がったＵＳＢホストケーブルが判定されたときは、ステップＳ４にてドライブ構造を確認し、ライブラリ構造なしの場合はステップＳ５でライブラリ構造を作成した後、ステップＳ６へ移行する。
【００４９】
ステップＳ６では、転送、再生、アルバム、接続解除の４つのメインメニューの選択を行ない、転送が選択されたときはステップＳ７で転送モードへ移行し、再生が選択されたときはステップＳ８で再生モードへ移行し、アルバムが選択されたときはステップＳ８′でアルバムモードへ移行する。又、接続解除が選択されたときはステップＳ１０でＵＳＢ接続解除を実行して、手続きを終了する。
【００５０】
(転送モード)
転送モードにおいては、図３に示す如く、ステップＳ１１にて転送方向をデフォルトの「ＳＤ(ＳＤカード)→ＢＯＸ(外部ハードディスク装置)」にセットする。次に、ステップＳ１２では、転送実行、転送方向設定、情報表示、メインメニューの４つの転送モードメニューの選択を行ない、ステップＳ１３で転送元データ容量の読み出し、ステップＳ１４で転送先容量の読み出しを行なった後、ステップＳ１５にて、転送が可能か否かの判断を行ない、転送不能の場合はステップＳ１７で容量警告の表示を行なう。
【００５１】
転送が可能な場合は、ステップＳ１８にて転送実行が選択されたか否かを判断し、イエスの場合は転送実行へ移行する。又、ステップＳ１９では情報表示が選択されたか否かを判断し、イエスの場合は転送方向設定へ移行する。又、ステップＳ２０では、転送方向が「ＢＯＸ→ＳＤ」であるか否かを判断し、ノーの場合はステップＳ２１にて転送後消去設定を行なうか否かを判断し、イエスの場合は転送後消去設定に移行する。ステップＳ２１にてノーと判断されたときはステップＳ２３に移行する。
【００５２】
ステップＳ２０にてイエスと判断されたときは、ステップＳ２２にて消去設定の無効化を行なった後、ステップＳ２３に移行する。
【００５３】
ステップＳ２３では、メインメニューを表示するか否かを判断し、ノーの場合はステップＳ１２に戻り、イエスの場合は図２のステップＳ６に戻る。
【００５４】
転送実行においては、図４に示す如く、ステップＳ３１にて転送方向が「ＳＤ→ＢＯＸ」であるか否かを判断し、ノーの場合は図５のステップＳ５１に移行する。
【００５５】
これに対し、図４のステップＳ３１にてイエスと判断されたときは、ステップＳステップＳ３２に移行して、日付時刻情報を読み出し、ステップＳ３３にて、ＢＯＸ側に当日の日付フォルダが有るか否かを判断する。ここでノーと判断されたときは、ステップＳ３４で当日の日付フォルダを作成した後、ステップＳ３４′でロール番号を“００１”に設定する。
【００５６】
一方、ステップＳ３３でイエスと判断されたときは、ステップＳ３５に移行し、当日の日付フォルダ内の最終ロール番号を読み出し、ステップＳ３６にてロール番号が“９９９”以下であるか否かを判断する。ここでノーと判断されたときはステップＳ３８にてエラー表示を行なった後、図３のステップＳ１２に戻る。これに対し、図４のステップＳ３６でイエスと判断されたときは、ステップＳ３７にて最終ロール番号に１を加算し、その結果をロール番号とする。
【００５７】
次にステップＳ３９では、ＢＯＸに、ロール番号を付けた新規のロール管理フォルダを作成し、ステップＳ４０では、新規ロール内にＤＣＩＭフォルダを作成する。続いてステップＳ４１にて、ＤＣＦ規格に基づいてフォルダ番号を“１００”に設定し、ステップＳ４２では、ＳＤカードのＤＣＩＭフォルダ内のフォルダ数をカウントし、ステップＳ４３では、ＳＤカード内の最初のフォルダを転送元に設定する。
【００５８】
その後、ステップＳ４４では、ＢＯＸに、フォルダ番号を付与した新規フォルダを作成し、ステップＳ４５にて、ＳＤカードからＢＯＸへ向けてフォルダ内のデータを転送する。そして、ステップＳ４６にて未転送フォルダが有るか否かを判断し、ここでイエスと判断されたときは、ステップＳ４７に移行して、ＳＤカード内の次にフォルダを転送元に設定し、ステップＳ４８では、フォルダ番号をカウントアップする。
【００５９】
これに対し、ステップＳ４６にてノーと判断されたときは、ステップＳ４９にて更に転送後消去するか否かを判断し、イエスの場合はステップＳ５０にてＳＤカードの転送元データを消去した後、図２のステップＳ６へ戻る。
【００６０】
図４のステップＳ３１にてノーと判断されたときは、先ず図５のステップＳ５１にて、ＤＣＩＭフォルダが有るか否かを判断する。ここでノーと判断されたときは、ステップＳ５２でＤＣＩＭフォルダを作成し、ステップＳ５３にてフォルダ番号を“１００”に設定する。
【００６１】
ステップＳ５１にてイエスと判断されたときは、ステップＳ５４にて最終フォルダ番号を読み出し、ステップＳ５５にてフォルダ番号が“９９９”以下であるか否かを判断する。ここでノーと判断されたときはステップＳ５７にてエラー表示を行なった後、図３のステップＳ１２に戻る。
【００６２】
これに対し、図５のステップＳ５５でイエスと判断されたときは、ステップＳ５６にて最終フォルダ番号に１を加算し、その結果をフォルダ番号とする。
【００６３】
その後、ステップＳ５８では、ロール内のフォルダ数をカウントし、ステップＳ５９にてロール内の最初のフォルダを転送元に設定する。そして、ステップＳ６０では、ＳＤカードに、フォルダ番号を付与した新規のフォルダを作成し、ステップＳ６１にて、ＢＯＸからＳＤカードへ向けてフォルダ内のデータを転送する。
【００６４】
続いてステップＳ６２では、未転送フォルダが有るか否かを判断し、イエスの場合は、ステップＳ６３でＢＯＸ内の次のフォルダを転送元に設定した後、ステップＳ６４にてフォルダ番号をカウントアップし、ステップＳ６０へ戻る。その後、ステップＳ６２にてノーと判断されたときは、図２のステップＳ６へ戻る。
【００６５】
転送方向設定においては、図６のステップＳ７１にて、「ＳＤ→ＢＯＸ」「ＢＯＸ→ＳＤ」「キャンセル」の中から転送方向の選択を行ない、ステップＳ７２で「ＳＤ→ＢＯＸ」が判定されたときはステップＳ７３に移行して、「ＳＤ→ＢＯＸ」の転送方向設定を実施し、ステップＳ７４にて「ＢＯＸ→ＳＤ」が判定されたときはステップＳ７５に移行して、「ＢＯＸ→ＳＤ」の転送方向設定を実施する。
【００６６】
その後、ステップＳ７６では、転送方向表示の更新を行なった後、図３のステップＳ１２に戻る。
【００６７】
一方、図６のステップＳ７４で「キャンセル」が判定されたときは、ステップＳ７７にてキャンセルを実行するか否かを判断し、ノーの場合はステップＳ７１へ戻り、イエスの場合は図３のステップＳ１２に戻る。
【００６８】
情報表示の場合は、図７のステップＳ８１にて、「ＢＯＸ情報」「ＳＤカード情報」「キャンセル」の中から情報表示の選択を行ない、ステップＳ８２で「ＳＢＯＸ情報」が判定されたときはステップＳ８３に移行して、ＢＯＸ空き容量の読み出しと保存ロール数の読み出しを行ない、ステップＳ８４にて「ＳＤカード情報」が判定されたときはステップＳ８５に移行して、ＳＤデータ容量の読み出しとファイル数の読み出しを行なう。
【００６９】
その後、ステップＳ８６では、情報表示画面の更新を行なった後、図３のステップＳ１２に戻る。
【００７０】
一方、図７のステップＳ８４で「キャンセル」が判定されたときは、ステップＳ８７にてキャンセルを実行するか否かを判断し、ノーの場合はステップＳ８１へ戻り、イエスの場合は図３のステップＳ１２に戻る。
【００７１】
転送後消去設定の場合は、図８のステップＳ９１にて、「転送後消去する」「転送後消去しない」の選択を行ない、ステップＳ９２にて「転送後消去する」が判定されたときはステップＳ９４で「消去」をオンとする。又、ステップＳ９３にて「転送後消去しない」が判定されたときはステップＳ９５で「消去」をオフとした後、図３のステップＳ１２に戻る。
【００７２】
一方、図８のステップＳ９３で何れも判定されなかったときは、ステップＳ９６にてキャンセルを実行するか否かを判断し、ノーの場合はステップＳ９１へ戻り、イエスの場合は図３のステップＳ１２に戻る。
【００７３】
(再生モード)
再生モードにおいては、図９のステップＳ１０１でメディア設定としてデフォルトの「ＢＯＸ」をセットし、ステップＳ１０２でビュー設定としてデフォルトの「ロールビュー」を設定する。
【００７４】
その後、ステップＳ１０３では、ビュー設定が「ロール」「カレンダー」又は「ＳＤカード」の何れであるかを判断する。
【００７５】
「ロール」の場合はステップＳ１０４にて、ロール選択リスト、ビュー選択などのロールビュー表示(図２３(ｄ)参照)を行なう。「カレンダー」の場合は、ステップＳ１０５にて日付選択リスト、ビュー選択などのカレンダービュー表示(図２３(ｅ)参照)を行なった後、ステップＳ１０７にて、ロール選択リスト、ビュー選択などのロール選択表示(図２
３(ｇ))を行なう。又、「ＳＤカード」の場合は、ステップＳ１０６にてカード選択など
のＳＤカードビュー表示(図２３(ｆ)参照)を行なう。
【００７６】
この様にして、それぞれのビュー設定に合わせてロール情報の読み出しと選択リストの表示を行ない、再生ロールを特定する操作を行なう。
【００７７】
そして、ステップＳ１０８にて再生対象ロールが確定したか否かを判断し、イエスのときはロール再生手続き(Ｂ−１)へ移行する。次にステップＳ１０９では、ビュー選択が行なわれたか否かを判断し、イエスのときはビュー選択手続き(Ｂ−３)へ移行する。更に、ステップＳ１１０では「Ｔ」キーが操作されたか否かを判断し、イエスのときはフォルダ選択手続き(Ｂ−４)へ移行する。
【００７８】
ステップＳ１１０にてノーと判断されたときは、ステップＳ１０３に戻ってビュー設定の判断を繰り返す。
【００７９】
ロール再生手続きにおいては、図１０のステップＳ１１１で単一の画像を再生した後(
図２３(ｈ)参照)、ステップＳ１１２にて「Ｗ」キーが操作されたか否かを判断し、ノー
の場合はステップＳ１１１に戻って単一画像の再生を継続する。ステップＳ１１２にてイエスと判断されたときは、ステップＳ１１３にて９画面マルチ画像を再生する(図２３(ｉ)参照)。
【００８０】
その後、ステップＳ１１４にて「Ｔ」キーが操作されたか否かを判断し、イエスのときはステップＳ１１１に戻って単一画像の再生を行なう。ステップＳ１１４にてノーと判断されたときは、ステップＳ１１５に移行して、「Ｗ」キーが操作されたか否かを判断する。ここでノーと判断されたときは、ステップＳ１１３に戻って９画面マルチ映像の再生を継続し、イエスと判断されたときは、フォルダ選択(Ｂ−４)へ移行する。
【００８１】
この様に、ロール再生においては、再生ロールが確定した時点で元のカメラ機能として組み込まれている再生モードを適用する。
【００８２】
ビュー選択手続きにおいては、図１１のステップＳ１３１にて、「ロールビュー」「カレンダービュー」「ＳＤカードビュー」のビュー選択表示を行なう(図２３(ａ)(ｂ)(ｃ)
参照)。そして、ステップＳ１３２で「ロールビュー」が判定されたときはステップＳ１
３３で「ビュー」にロールを設定する。ステップＳ１３４で「カレンダービュー」が判定されたときはステップＳ１３５で「ビュー」にカレンダーを設定する。ステップＳ１３６で「ＳＤカードビュー」が判定されたときはステップＳ１３７で「ビュー」にＳＤカードを設定する。
【００８３】
そして、ステップＳ１３８で「戻る」操作が行なわれたか否かを判断し、ノーとの場合はステップＳ１３１に戻って、ビュー選択表示を繰り返す。一方、ステップＳ１３８にてイエスと判断されたときは、ステップＳ１３９にてビュー選択情報を保存した後、図９のステップＳ１０３に戻る。
【００８４】
フォルダ選択手続きにおいては、図１２のステップＳ１２１にて、フォルダリスト及びロール選択画像からなるフォルダ選択画面を表示する(図２３(ｊ)参照)。その後、ステップＳ１２２では再生対象のフィルダーが確定したか否かを判断し、イエスの場合は再生モード(Ｂ−１)へ移行する。
【００８５】
ステップＳ１２２でノーと判断されたときは、ステップＳ１２３に移行して、ロール選択操作が行なわれたか否かを判断し、イエスの場合は図９のステップＳ１０３に戻って、ロール選択を行なう。
【００８６】
ステップＳ１２３にてノーと判断されたときは、ステップＳ１２４に移行して「Ｗ」キーが操作されたか否かを判断し、イエスの場合は図９のステップＳ１０３に戻って、ロール選択を行なう。
【００８７】
一方、ステップＳ１２４にてノーと判断されたときは、ステップＳ１２５に移行し、「Ｔ」キーが操作されたか否かを判断する。ここでノーと判断されたときはステップＳ１２１に戻ってフォルダ選択画面の表示を繰り返し、イエスと判断されたときは、図１０のステップＳ１１３に移行して、９画面マルチ画像再生を行なう。
【００８８】
図２３は、メインメニューの“データ転送”、“再生”、“アルバム”から、“再生”が選択されたときの、操作に応じた一連の表示画面の遷移を示している。
【００８９】
先ずメインメニューの表示から、図２３(ｄ)のロール(日付)ビューが表示される。ロール(日付)ビューにおいては、ロール番号と日付が対となって表示されており、この中から１つのロールを選択すると、(ｈ)の如く、そのロールに含まれる所定の単一のファイル(
例えば最終フォルダの最終ファイル)が再生され、表示される。
【００９０】
そして、(ｈ)の如く１つのファイルが表示された状態で、画像送りキーを操作すれば、次のファイルの表示へと移行することが可能であり、この移行はフォルダに跨って行なうことが可能である。尚、ロール間の移行を行なう場合は、先ずロール選択を行なう。
【００９１】
(ｄ)のロール(日付)ビューから画像送りキーを左方へ操作すると、(ａ)のロール(日付)ビューの切り換え用画面に切り替わり、この画面から更に画像送りキーを下方へ操作すると、(ｂ)のカレンダービューの切り換え用画面に切り替わり、この状態から画像送りキーを右方へ操作すると、(ｅ)のカレンダービューが表示される。
【００９２】
カレンダービューにおいては、カレンダー上にロールの存在する日付がマーク表示され、その中から１つの日付を選択すると、(ｇ)に示す如くその日付を有する全てのロールが一覧表示される。この状態から１つのロールを選択すると、(ｈ)の如く、そのロールに含まれる所定の１つのファイル(例えば最終フォルダの最終ファイル)が再生され、表示される。
【００９３】
(ｂ)のカレンダービューの切り換え用画面から画像送りキーを下方へ操作すると、(ｃ)のＳＤカードビューの切り換え用画面に切り替わり、この状態から画像送りキーを右方へ操作すると、(ｆ)のＳＤカードビューが表示される。
【００９４】
ＳＤカードビューにおいては、カードが再生対象となっている旨の表示が行なわれ、この状態からカードを選択すると、(ｈ)の如く、そのカードに含まれる所定の１つのファイル(例えば最終フォルダの最終ファイル)が再生され、表示される。
【００９５】
(ｄ)のロールビュー、(ｅ)のカレンダービュー、或いは(ｆ)のＳＤカードビューから“Ｔ”キーを操作すると、(ｊ)の如くフォルダの選択画面が表示され、この中から１つのフォルダを選択して“Ｔ”キーを操作すると、(ｉ)の如くそのフォルダに含まれる複数のファイルがマルチ画面に表示される。そして、その中から１つのファイルを選択して“Ｔ”キーを操作すると、(ｈ)の如く選択されたファイルが再生され、表示される。
【００９６】
又、(ｈ)の如く１つのファイルが表示されている状態で“Ｗ”キーを操作すると、(ｉ)の如くそのファイルが含まれるフォルダについてマルチ画面が表示される。この状態から更に“Ｗ”キーを操作すれば、(ｊ)の如くそのフォルダが含まれるロールについてフォルダ選択画面が表示される。
【００９７】
そして、この状態から更に“Ｗ”キーを操作すれば、(ｄ)のロールビュー、(ｅ)のカレンダービュー、或いは(ｆ)のＳＤカードビューの表示に戻ることになる。
【００９８】
この様に、図２３(ｄ)のロール(日付)ビューから１つのロールを選択するだけで、(ｈ)の如く所定の１つのファイルを直接に表示し、この状態で表示を次の画像に切り換えることによって、所望の１つのファイルを表示することが可能であると共に、図２３(ｄ)のロール(日付)ビューからのロール選択、(ｊ)のフォルダ選択画面からのフォルダ選択、及び(ｉ)のマルチ画面表示からのファイル選択を経て、最終的に(ｈ)の如く所望の１つのファイルを表示することが可能である。
【００９９】
従って、ユーザは、この２つのファイル表示方法から好みに合った方法を選ぶことが出来る。
【０１００】
(アルバムモード)
このアルバムモードは、図２７に示すＤＣＦディレクトリ内に記録されている静止画像ファイル(例えば、ＳＡＮＹ０００１．ＪＰＧ)または動画像ファイル（例えば、ＳＡＮＹ０００３．ＭＰ４）をユーザが任意に選択し、選択された静止画像ファイルまたは動画像ファイルのアドレスを基に、ＡＬＢＵＭフォルダ内にリンク情報ファイル（例えば、ＡＬＢＵＭ００１．ｐｖｍ）を作成している。ユーザはそのリンク情報ファイルを再生指定することによって、所定の順序で選択された静止画像ファイルまたは動画像ファイルを再生することができる。
【０１０１】
アルバムモードにおいては、先ず図１３のステップＳ１４１にて、既に作成されているアルバムファイルのリストを検索し、その結果を表示する。次にステップＳ１４２では、再生対象とするアルバムをアルバムリストから選択するのか、アルバムを編集(変更)するのか、アルバムを消去するのか、或いはアルバムを新規再生するのかを選択するためのアルバムメニューを表示する(図２４(ｂ)参照)。
【０１０２】
そして、再生対象のアルバムが選択されたときは、ステップＳ１４３にてアルバム再生のための手続き(Ｃ−１)に移行し、アルバムの新規作成が選択されたときは、ステップＳ１４４にてアルバム新規作成のための手続き(Ｃ−２)に移行し、アルバム編集が選択されたとき、ステップＳ１４５にてアルバム編集のための手続き(Ｃ−３)に移行し、アルバムの消去が選択されたときは、ステップＳ１４６にてアルバム消去のための手続き(アルバ
ム消去)に移行し、メインメニューが選択されたときは、ステップＳ１４７にてメインメ
ニューの表示へ戻る。
【０１０３】
アルバム再生においては、図１４のステップＳ１５１にて、アルバムの中の先頭ファイルを表示した後、ステップＳ１５２にてアルバム再生を開始する。その後、ステップＳ１５３にてアルバム再生停止の操作が行なわれたか否かを判断し、イエスの場合は、図１３のステップＳ１４１に戻って、アルバムリストの検索・表示を行なう。
【０１０４】
図１４のステップＳ１５３にてノーと判断されたときはステップＳ１５４に移行して、アルバムが終端まで再生されたか否かを判断し、イエスの場合は、図１３のステップＳ１４１に戻って、アルバムリストの検索・表示を行なう。
【０１０５】
アルバム新規作成においては、図１５のステップＳ１６１にて、新規アルバムの番号を抽出した後、ステップＳ１６２にて、新規アルバム番号をファイル名として、新規アルバムファイルを作成する。次にステップＳ１６３では、ファイルカウンタＦＣ、ファイルポインタＦ＿ＰＴＲ、インサートポインタＩ＿ＰＴＲにそれぞれ０を設定し、ステップＳ１６４では、編集マーカーのフラグを“False”に設定した後、ステップＳ１６７に移行す
る。
【０１０６】
一方、アルバム編集においては、図１５のステップＳ１６５にて、ファイルカウンタＦＣの読み込みを行なうと共に、ファイルポインタＦ＿ＰＴＲ、インサートポインタＩ＿ＰＴＲにそれぞれ０を設定し、ステップＳ１６６にて、編集マーカーのフラグを“True”に設定した後、ステップＳ１６７に移行する。
【０１０７】
ステップＳ１６７では、ファイルを追加するときのファイルの参照位置として、先ず最終ロールの先頭を指定する。そして、ステップＳ１６８にて、アルバム作成操作画面の表示を更新した後、ステップＳ１６９にて、ファイルの追加が指示されたか否かを判断し、イエスのときはステップＳ１７０にて後述の「インサートポインタ」を表示した後、コマンド変数ｃｍｄに「追加」を設定する。
【０１０８】
次にステップＳ１７２では、ファイルの移動が指示されたか否かを判断し、イエスのときはステップＳ１７３にて後述の「ファイルポインタ」を表示した後、コマンド変数ｃｍｄに「移動」を設定する。
【０１０９】
更にステップＳ１７５では、ファイルの削除が指示されたか否かを判断し、イエスのときはステップＳ１７６にて「ファイルポインタ」を表示した後、コマンド変数ｃｍｄに「削除」を設定する。
【０１１０】
その後、図１６のステップＳ１７８では、ポインタを進める操作が行なわれたか否かを判断し、イエスのときはステップＳ１７９にてポインタの移動が可能かどうかを判断し、イエスのときはステップＳ１８０に移行して、ファイルポインタＦ＿ＰＴＲとインサートポインタＩ＿ＰＴＲをそれぞれ１だけカウントアップする。
【０１１１】
次にステップＳ１８１では、ポインタを戻す操作が行なわれたか否かを判断し、イエスのときはステップＳ１８２にてポインタの移動が可能かどうかを判断し、イエスのときはステップＳ１８３に移行して、ファイルポインタＦ＿ＰＴＲとインサートポインタＩ＿ＰＴＲをそれぞれ１だけカウントダウンする。
【０１１２】
続いてステップＳ１８４では、コマンド変数ｃｍｄを実行する操作が行なわれたか否かを判断し、イエスの場合は、ステップＳ１８５にて、コマンド変数ｃｍｄが「追加」であるか否かを判断し、イエスの場合は後述の追加の手続きに移行する。又、ステップＳ１８６では、コマンド変数ｃｍｄが「移動」であるか否かを判断し、イエスの場合は後述の移動の手続きに移行する。更に、ステップＳ１８７では、コマンド変数ｃｍｄが「削除」であるか否かを判断し、イエスの場合は後述の削除の手続きに移行する。
【０１１３】
一方、ステップＳ１８４にてノーと判断されたときは、ステップＳ１８８に移行して、アルバム新規作成或いはアルバム編集が完了したか否かを判断し、ノーの場合は図１５のステップＳ１６８に戻って、アルバム作成操作画面の表示を更新する。これに対し、図１６のステップＳ１８８にてイエスと判断されたときは、後述のアルバム設定手続きに移行する。
【０１１４】
ファイルの追加
ファイルを追加する手続きにおいては、図１７のステップＳ１９１にて、追加ファイルの位置を読み出した後、ステップＳ１９２にて、ファイルリストを含む追加ファイル選択画面を表示する(図２４(ｆ)参照)。
【０１１５】
そして、ステップＳ１９３では、ファイル選択を進める操作が行なわれたか否かを判断し、イエスの場合はステップＳ１９４にて選択マークを進める処理を行なう。次にステップＳ１９５では、ファイル選択を戻す操作が行なわれたか否かを判断し、イエスの場合はステップＳ１９６にて選択マークを戻す処理を行なう。この様にして再生モードと同じ条件で移動を行なう。
【０１１６】
更にステップＳ１９７では、フォルダ選択の操作が行なわれたか否かを判断し、イエスの場合は後述のフォルダ選択手続きに移行する。
【０１１７】
ステップＳ１９７にてノーと判断されたときは、ステップＳ１９８にて、選択したファイルでＯＫとする操作が行なわれたか否かを判断し、ノーの場合はステップＳ１９２に戻って、追加ファイル選択画面の表示を継続する。
【０１１８】
一方、ステップＳ１９８にてイエスと判断されたときは、ステップＳ１９９に移行してアルバムファイルの操作を行なって、選択ファイルをインサートポインタＩ＿ＰＴＲの位置に追加する。
【０１１９】
次に、ステップＳ２００にてファイルカウンタＦＣを１だけカウントアップし、ステップＳ２０１では、ファイルポインタＦ＿ＰＴＲとインサートポインタＩ＿ＰＴＲをそれぞれ１だけカウントアップする。この様にしてポインタを追加ファイルに合わせて進める。
【０１２０】
続いてステップＳ２０２にて追加ファイルの位置を保存した後、図１５のステップＳ１６７に戻る。
【０１２１】
フォルダ選択手続きにおいては、図１８に示す如く、ステップＳ２１１にて、ファイルリストを含むフォルダ選択画面を表示する(図２４(ｇ)参照)。
【０１２２】
そして、ステップＳ２１２では、フォルダ選択を進める操作が行なわれたか否かを判断し、イエスの場合はステップＳ２１３にて選択マークを進める処理を行なう。次にステップＳ２１４では、フォルダ選択を戻す操作が行なわれたか否かを判断し、イエスの場合はステップＳ２１５にて選択マークを戻す処理を行なう。更にステップＳ２１６では、ロール選択の操作が行なわれたか否かを判断し、イエスの場合は後述のロール選択手続きに移行する。
【０１２３】
ステップＳ２１６にてノーと判断されたときは、ステップＳ２１７にて、選択したフォルダでＯＫとする操作が行なわれたか否かを判断し、ノーの場合はステップＳ２１１に戻って、フォルダ選択画面の表示を継続する。一方、ステップＳ２１７にてイエスと判断されたときは、図１７のステップＳ１９２に戻って、追加ファイル選択画面の表示を行なう。
【０１２４】
ロール選択手続きにおいては、図１９のステップＳ２２１にて、ロールリストを含むロール選択画面(図２４(ｈ)参照)を表示する。そして、ステップＳ２２２では、ロール選択を進める操作が行なわれたか否かを判断し、イエスの場合はステップＳ２２３にて選択マークを進める処理を行なう。次にステップＳ２２４では、ロール選択を戻す操作が行なわれたか否かを判断し、イエスの場合はステップＳ２２５にて選択マークを戻す処理を行なう。
【０１２５】
その後、ステップＳ２２６にて、選択したロールでＯＫとする操作が行なわれたか否かを判断し、ノーの場合はステップＳ２２１に戻って、ロール選択画面の表示を継続する。一方、ステップＳ２２６にてイエスと判断されたときは、図１８のステップＳ２１１に戻って、フォルダ選択画面の表示を行なう。
【０１２６】
ファイルの移動
ファイルを移動する手続きにおいては、図２０のステップＳ２３１にて移動ファイルを確定させる表示を行なった後、ステップＳ２３２にて、「インサートポインタ」を表示する(図２４(ｊ)参照)。
【０１２７】
次にステップＳ２３３では、インサートポインタを進める操作が行なわれたか否かを判断し、イエスの場合はステップＳ２３４にてインサートポインタの移動が可能か否かを判断し、イエスの場合は、ステップＳ２３５にてインサートポインタＩ＿ＰＴＲを１だけカウントアップし、ステップＳ２３６にてアルバム作成操作画面の表示を更新する。
【０１２８】
次にステップＳ２３７では、インサートポインタを戻す操作が行なわれたか否かを判断し、イエスの場合はステップＳ２３８にてインサートポインタの移動が可能か否かを判断し、イエスの場合は、ステップＳ２３９にてインサートポインタＩ＿ＰＴＲを１だけカウントダウンし、ステップＳ２４０にてアルバム作成操作画面の表示を更新する。
【０１２９】
その後、ステップＳ２４１にて、ファイルを移動する場所の指定が完了したか否かを判断し、ノーの場合はステップＳ２３３に戻って、インサートポインタの移動を継続する。一方、ステップＳ２４１にてイエスと判断されたときは、ステップＳ２４２に移行して、アルバムファイルを操作し、移動ファイルをインサートポインタＩ＿ＰＴＲの位置に移動した後、図１５のステップＳ１６７に戻る。
【０１３０】
ファイルの削除
ファイルを削除する手続きにおいては、図２１のステップＳ２５１にて、アルバムファイルから該当項目を削除し、ステップＳ２５２にてファイルカウンタＦＣを１だけカウントダウンした後、図１５のステップＳ１６７に戻る。
【０１３１】
アルバム設定
アルバム設定手続きにおいては、図２２のステップＳ２６１にて、静止画表示時間の選択、切替効果の選択、ＢＧＭ選択などのアルバム設定メニューを表示する。
【０１３２】
そして、ステップＳ２６２では、「静止画表示時間」が選択されたか否かを判断し、イエスの場合はステップＳ２６３に移行して、静止画表示時間の設定を行なう。次に、ステップＳ２６４では、「切替効果」が選択されたか否かを判断し、イエスの場合はステップＳ２６５に移行して、切替効果の設定を行なう。更にステップＳ２６６では、「ＢＧＭ」が選択されたか否かを判断し、イエスの場合はステップＳ２６７に移行して、ＢＧＭの設定を行なう。
【０１３３】
その後、ステップＳ２６８では、アルバム設定を保存する操作が行なわれたか否かを判断し、ノーの場合はステップＳ２６１に戻って設定メニューの表示を継続する。ステップＳ２６８にてイエスと判断されたときは、ステップＳ２６９にて更にアルバム設定を保存する操作が行なわれたか否かを判断する。ここでノーと判断されたときは、図１３のステップＳ１４１に戻って、アルバムメニューの手続きを繰り返す。
【０１３４】
一方、ステップＳ２６９にてイエスと判断されたときは、ステップＳ２７０に移行して、編集マーカーが“True”であるか否かを判断し、ノーの場合は新規作成されたアルバムと判断し、ステップＳ２７２にてアルバムを新規保存した後、図１３のステップＳ１４１に戻って、アルバムメニューの手続きを繰り返す。
【０１３５】
これに対し、図２２のステップＳ２７０にてイエスと判断されたときは、既に存在するアルバムに対する編集操作であると判断し、更にステップＳ２７１にて上書き保存を行なうか否かを判断し、ノーの場合はステップＳ２７２に移行して新規保存を行なう一方、イエスの場合はステップＳ２７３に移行して上書き保存を行なった後、図１３のステップＳ１４１に戻って、アルバムメニューの手続きを繰り返す。
【０１３６】
図２４は、メインメニューの“データ転送”、“再生”、“アルバム”から、“アルバム”が選択されたときの、操作に応じた一連の表示画面の遷移を示している。
【０１３７】
図２４(ａ)に示すメインメニューの“データ転送”、“再生”、“アルバム”から、“アルバム”が選択されると、(ｂ)の如く再生の対象となるアルバムファイルの選択画面が表示される。その中から１つのアルバムファイルを選択し、「ＳＥＴキー」を操作すれば、そのアルバムファイルを再生することが出来る。一方、その中から１つのアルバムファイルを選択し、アルバム編集を選択すると、(ｄ)の如くそのアルバムファイルが破線の枠で表示される。その選択を決定すると、(ｅ)の如く“追加”“移動”“消去”の選択ボタンが表示される。
【０１３８】
ここで“追加”を選択すると、ファイルの挿入位置を示すインサートポインタが三角形のマークで表示される。そして、キー操作によって挿入位置を決定すると、(ｆ)に示すファイル選択画面と、(ｇ)に示すフォルダ選択画面と、(ｈ)に示すロール選択画面とを切り換えながら、追加するファイルを指定することが出来る。
【０１３９】
(ｆ)のファイル選択画面から１つのファイルを選択して、(ｅ)の画面に戻ると、選択されたファイルがインサートポインタの位置に挿入され、ファイルの追加が行なわれることになる。
【０１４０】
(ｅ)の画面から“移動”を選択すると、(ｉ)に示す如く移動の対象となるファイルが太枠によって示され、移動すべきファイルを選択すると、(ｊ)の如く選択されたファイルがファイルポインタ(破線の枠)によって示されると共に、そのファイルのサムネイル画像が画面中に常時、表示される。これと同時に、移動先を指定するためのインサートポインタ(三角形のマーク)が表示される。
【０１４１】
そこでインサートポインタを移動させて、移動先を指定する。この過程でスクロールにより移動対象ファイルが画面から消失したとしても、移動対象ファイルのサムネイルが画面中に表示されているので、不便はない。
【０１４２】
ファイルの移動先を決定すると、(ｋ)の如く、移動対象ファイルを移動先に移動した後のファイル列が画面に表示されることになる。
【０１４３】
図２５は、上述のポインタを用いたファイルの追加及び移動の様子を表わしている。ファイルの追加においては、三角形のマークによってインサートポインタが表示され、そのインサートポインタの位置に新たなファイル“Ｎｅｗ”が挿入される。
【０１４４】
一方、ファイルの移動においては、先ず、移動対象として選択されたファイル“Ａ”が、太線の枠からなるポインタによって示され、移動対象のファイルが決定されると、そのファイルが、破線の枠からなるファイルポインタによって示され、そのファイルポインタによって示されたファイルが、三角形のマークからなるインサートポインタの位置に移動される。
【０１４５】
この様なファイルの追加、移動は、リンクファイルの編集によって行なわれ、フォルダやロールに跨ったファイル及び位置の選択が可能である。従って、ファイルの再生対象ファイルリストへの追加、移動を自由に行なうことが出来る。
【０１４６】
上述したデジタルカメラによれば、三角形のマークからなるインサートポインタによって示された位置に追加するファイル、または移動対象として選択されたファイルが追加または移動されるため、ユーザにとって、視覚的に分かりやすいものとなる。
【０１４７】
尚、ファイルの消去においては、消去の対象として選択されたファイルが、太線の枠からなるポインタによって示され、消去の実行によって、そのポインタによって示されたファイルリストが消去される。但し、ファイル自体は消去されない。
【０１４８】
また、上述したアルバムモードの説明では、外部ハードディスク３に記録されている画像ファイルがアルバム作成の対象とされているが、外部ハードディスク３に限られるものではなく、デジタルカメラ本体１に脱着可能に接続された外部メモリカード１６に記録された画像ファイルでもよい。また、本実施例においては図示されていないが、デジタルカメラ本体１に内蔵されているメモリに記録された画像ファイルでもよい。
【０１４９】
また、上述したアルバムモードの説明では、メインメニューの選択やアルバムファイルなどの選択操作、およびその選択を決定する決定操作が操作部３０を構成する「ＳＥＴキー」などを操作することによってなされているが、タッチパネルを操作部として採用しても良い。
【０１５０】
タッチパネルが採用される場合おいて、具体的には図２４（ａ）に示すように、“データ転送”、“再生”、“アルバム”の中で“アルバム”を選択する場合は、”アルバム“の項目を指でタッチすることによって選択される。同様に、図２４（ｂ）に示すようにアルバムファイルをサムネイルで選択する場合は、所望のアルバムファイルのサムネイルを指でタッチすることによって選択される。同様に、図２４（ｉ）に示すようにアルバムを編集する際に、移動させる対象画像を指でタッチすることによって、選択され、ファイルポインタが表示される。また、図２４（ｊ）に示すように移動先を指定する際のインサートポインタの選択時には、インサートポインタを隣接する画像の間にそれぞれ配置し、所望の移動先に対応するインサートポインタを指でタッチすることによって、移動先が指定される。 
【０１５１】
また、図１に示す実施例では、カメラ本体(１)にクレードル(２)を接続する構成が採用されているが、クレードル(２)のＵＳＢデバイスコネクタ(27)、ＵＳＢホストコネクタ(28)及びＡＶコネクタ(29)をカメラ本体(１)に設けて、クレードル(２)を省略することも可能である。
【０１５２】
又、外部メモリとしてＳＤカード等の外部メモリカード(16)、外部記憶装置として外部ハードディスク装置(３)が採用されているが、これに限らず、周知の種々の外部メモリ及び外部記憶装置を採用することが可能である。
【図面の簡単な説明】
【０１５３】
【図１】本発明に係るデジタルカメラの構成を示すブロック図である。
【図２】カメラ本体のＣＰＵが実行する制御手続きにおける基本的な流れを表わすフローチャートである。
【図３】前記制御手続きにおける転送モードの処理の流れを表わすフローチャートである。
【図４】前記転送モードにおける転送実行手続きを表わすフローチャートである。
【図５】前記転送モードにおける逆方向の転送実行手続きを表わすフローチャートである。
【図６】前記転送モードにおける転送方向設定手続きを表わすフローチャートである。
【図７】前記転送モードにおける情報表示手続きを表わすフローチャートである。
【図８】前記転送モードにおける転送後消去設定手続きを表わすフローチャートである。
【図９】前記制御手続きにおける再生モードの処理の流れを表わすフローチャートである。
【図１０】前記再生モードにおけるロール再生手続きを表わすフローチャートである。
【図１１】前記再生モードにおけるビュー選択手続きを表わすフローチャートである。
【図１２】前記再生モードにおけるフォルダ選択手続きを表わすフローチャートである。
【図１３】アルバムモードの処理の流れを表わすフローチャートである。
【図１４】前記アルバムモードにおけるアルバム再生手続きを表わすフローチャートである。
【図１５】前記アルバムモードにおけるアルバム新規作成手続き及びアルバム編集手続きの前半を表わすフローチャートである。
【図１６】前記アルバムモードにおけるアルバム新規作成手続き及びアルバム編集手続きの後半を表わすフローチャートである。
【図１７】ファイル追加手続きを表わすフローチャートである。
【図１８】フォルダ選択手続きを表わすフローチャートである。
【図１９】ロール選択手続きを表わすフローチャートである。
【図２０】ファイル移動手続きを表わすフローチャートである。
【図２１】ファイル削除手続きを表わすフローチャートである。
【図２２】アルバム設定手続きを表わすフローチャートである。
【図２３】前記再生モードにおける画面表示の遷移図である。
【図２４】前記アルバムモードにおける画面表示の遷移図である。
【図２５】ファイルの追加、移動及び消去のためのポインタの表示パターンを示す図である。
【図２６】外部メモリカードのディレクトリ構造を示す図である。
【図２７】外部ハードディスク装置のディレクトリ構造を示す図である。
【図２８】従来のカメラ本体及びストレージ装置の構成を示すブロック図である。
【符号の説明】
【０１５４】
(１)  カメラ本体
(14)  メモリコントローラ
(15)  カードドライブ
(16)  外部メモリカード
(17)  ＵＳＢインターフェース
(18)  ＵＳＢデバイスコントローラ
(19)  ＵＳＢホストコントローラ
(31)  ＣＰＵ
(33)  バス
(２)  クレードル
(27)  ＵＳＢデバイスコネクタ
(28)  ＵＳＢホストコネクタ
(29)  ＡＶコネクタ
(３)  外部ハードディスク装置
(４)  モニタテレビジョン受像機
(５)  スピーカー
【図１】
2011040089.tif 000003
【図２】
2011040089.tif 000004
【図３】
2011040089.tif 000005
【図４】
2011040089.tif 000006
【図５】
2011040089.tif 000007
【図６】
2011040089.tif 000008
【図７】
2011040089.tif 000009
【図８】
2011040089.tif 000010
【図９】
2011040089.tif 000011
【図１０】
2011040089.tif 000012
【図１１】
2011040089.tif 000013
【図１２】
2011040089.tif 000014
【図１３】
2011040089.tif 000015
【図１４】
2011040089.tif 000016
【図１５】
2011040089.tif 000017
【図１６】
2011040089.tif 000018
【図１７】
2011040089.tif 000019
【図１８】
2011040089.tif 000020
【図１９】
2011040089.tif 000021
【図２０】
2011040089.tif 000022
【図２１】
2011040089.tif 000023
【図２２】
2011040089.tif 000024
【図２３】
2011040089.tif 000025
【図２４】
2011040089.tif 000026
【図２５】
2011040089.tif 000027
【図２６】
2011040089.tif 000028
【図２７】
2011040089.tif 000029
【図２８】
2011040089.tif 000030
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
記録媒体に記録されている複数の画像ファイルの中から複数の画像ファイルを選択するファイル選択手段と、
前記ファイル選択手段によって選択された複数の画像ファイルを所定の再生順序で再生するための再生順序情報ファイルを作成する作成手段と、
前記ファイル選択手段によって選択された複数の画像ファイルを前記再生順序情報ファイルに基づいて前記所定の再生順序で再生する再生手段と、
前記記録媒体に記録されている複数の画像ファイルに対して日付情報に基づいて日付毎にグループ化された複数のグループ情報を表示させるグループ表示手段と、
前記グループ表示手段によって表示された複数のグループ情報の中から１つのグループ情報を選択するグループ選択手段と、
前記ファイル選択手段によって選択された複数の画像ファイルを前記再生順序情報ファイルに基づく配列で表示する第１表示手段と、
前記第１表示手段において表示される前記複数の画像ファイルの中の隣接する任意の２つの画像ファイルの間に変位可能なポインタを配置する配置手段と、
前記グループ選択手段によって選択されたグループ情報に属する画像ファイルを、前記再生手段によって再生されるべき画像ファイルとして追加する追加手段と、
前記追加手段によって追加された画像ファイルと前記配置手段において配置されたポインタの位置とに基づいて前記再生順序情報ファイルを編集する編集手段とを備えることを特徴とする、画像処理装置。
【請求項２】
前記ポインタを一方向に変位させるためキーを更に備え、
前記配置手段は、前記キーの操作に基づいてポインタの配置を行うことを特徴とする、請求項１に記載の画像処理装置。
【請求項３】
前記記録媒体に記録されている複数の画像ファイルは、複数のフォルダに割り当てられていることを特徴とする、請求項１または２に記載の画像処理装置。
【請求項４】
前記記録媒体に記録されている複数の画像ファイルの種類は、少なくとも静止画像ファイルと動画像ファイルの両方の種類を含むことを特徴とする、請求項１ないし３のいずれかに記載の画像処理装置。